(57)【要約】【課題】本発明は、一年を通して順序が変動せずに任意の数ヶ月間を同時に一覧でき、月末での日付重複の無い吊り下げ式連結カレンダーに関するものである。【解決手段】帯状のカレンダー表示部に所定間隔ごとに折り線を設けて、複数月の暦を縦に連結し、吊り下げるための穴を各月の暦の上端と下端の中央に設けたことを特徴とする。また、月末での日付重複を避けるため、日月火水木金土と並ぶカレンダーにおいては、一日が金曜日または土曜日から始まる大の月や、一日が土曜日から始まる２月以外の小の月では、月初の日付を前月の暦に繰り上げるか、あるいは月末の日付を翌月の暦に繰り下げることで、月末での日付重複を無くしたことを特徴とする吊り下げ式連結カレンダーである。【選択図】図１
2005144880.tif 000002
【特許請求の範囲】
【請求項１】
帯状のカレンダー表示部に所定間隔ごとに折り線を設けて、複数月の暦を縦に連結し、吊り下げるための穴を各月の暦の上端と下端の中央に設けたことを特徴とする吊り下げ式連結カレンダー。
【請求項２】
日月火水木金土と並ぶカレンダーにおいて、一日が金曜日または土曜日から始まる大の月や、一日が土曜日から始まる２月以外の小の月では、月初の日付を前月の暦に繰り上げるか、月末の日付を翌月の暦に繰り下げたことを特徴とする、月末での日付重複の無いカレンダー。
【発明の詳細な説明】
【技術分野】
【０００１】
本発明は、一年を通して順序が変動せずに任意の数ヶ月間を同時に一覧でき、月末での日付重複の無い吊り下げ式連結カレンダーに関するものである。
【背景技術】
【０００２】
従来のカレンダーは図５の（Ａ）（Ｂ）のように、1枚が1ヶ月ないしは2ヶ月で構成されている物が多い。また、日月火水木金土と並ぶカレンダーにおいては、一日が金曜日または土曜日から始まる大の月や、土曜日から始まる２月以外の小の月では、月末の日付が1週間前の日付と重複表示しているものが多い。
【発明の開示】
【発明が解決しようとする課題】
【０００３】
カレンダーが単に日付と曜日を確認するだけでなく、多くの場合、予定表としても使われる現実において、中長期の予定を組み、スケジュール管理していくには、常に数ヶ月先の日付が一覧できる必要があるにもかかわらず、従来のカレンダーでは、使用ページの最終月の後半ともなれば、次月の曜日を確認する場合や、予定を記入するためには、その都度、使用中の当月の暦を捲って、後ろの次月の暦を活用しなければならないという煩わしさがあった。しかも次月の予定を記入しても、当月においては見ることができないという難点があった。 また、月末の日付が1週間前の日付と重複表示している場合は、どちらの日の予定か見分けにくく、且つ両日の予定を記入するためにはスペースが狭いという問題点もあった。そこで、この発明は、一年を通して順序が変動せずに、任意の数ヶ月間を同時に一覧でき、しかも月末での日付重複の無い吊り下げ式連結カレンダーを提供することを課題とする。
【課題を解決するための手段】
【０００４】
本発明は、上記の問題点を解消するために、帯状のカレンダー表示部に所定間隔ごとに折り線を設けて、複数月の暦を縦に連結し、吊り下げるための穴を各月の暦の上端と下端の中央に設けたことを特徴とする。また、月末での日付重複を避けるため、日月火水木金土と並ぶカレンダーにおいては、一日が金曜日または土曜日から始まる大の月や、一日が土曜日から始まる２月以外の小の月では、月初の日付を前月の暦に繰り上げるか、あるいは月末の日付を翌月の暦に繰り下げることで、月末での日付重複を無くしたことを特徴とする吊り下げ式連結カレンダーである。
【発明の効果】
【０００５】
以上説明したように、本発明の日付重複の無い吊り下げ式連結カレンダーは、帯状のカレンダー表示部に所定間隔ごとに折り線を設けて、複数月の暦を縦に連結し、吊り下げるための穴を各月の暦の上端と下端の中央に設けた構造としているので、一年を通して順序が変動せずに、任意の数ヶ月間を同時に一覧できる。また日月火水木金土と並ぶカレンダーにおいては、一日が金曜日または土曜日から始まる大の月や、一日が土曜日から始まる２月以外の小の月では、月初の日付を前月の暦に繰り上げるか、あるいは月末の日付を翌月の暦に繰り下げることで、月末での日付重複を無くしているので、予定表として優れた機能と効果を有するものである。
【発明を実施するための最良の形態】
【０００６】
本発明の好適な実施形態を図面に基づき説明する。
【実施例】
【０００７】
図１は、本発明の日付重複の無い吊り下げ式連結カレンダーの２ヶ月サイクルでの使用状態を示す説明図である。
図２は、本発明の当該カレンダーの３ヶ月サイクルでの使用状態を示す説明図である。
図３は、本発明の帯状のカレンダー表示部の平面図である。
図４は、本発明の月末での日付重複の無いカレンダーの説明図である。
図５は、従来のカレンダーである。
【０００８】
図１の（A）において、日付重複の無い吊り下げ式連結カレンダーを１月から仮に２ヶ月サイクルで使用する場合なら、１月暦１と２月暦２を表面にし、３月暦３以降の暦を裏に折り返して、表面と同じ長さになるようにたたみ込む。図１の（B）において、１月の終了時点で、１月暦１を裏側に折り込み、２月暦２と３月暦３を表面にし、４月暦４以降の暦を裏に折り返して、表面と同じ長さになるようにたたみ込む。以後毎月同様の作業を繰り返すことで、一年を通して順序が変動せずに常に二ヶ月間の暦を同時に一覧することができる。
【０００９】
図２の（A）において、日付重複の無い吊り下げ式連結カレンダーを１月から仮に３ヶ月サイクルで使用する場合なら、１月暦１から３月暦３までの暦を表面にし、４月暦４以降の暦を裏に折り返して、表面と同じ長さになるようにたたみ込む。図１の（B）において、１月の終了時点で、１月暦１を裏側に折り込み、２月暦２から４月暦４までの暦を表面にし、５月暦５以降の暦を裏に折り返して、表面と同じ長さになるようにたたみ込む。以後毎月同様の作業を繰り返すことで、一年を通して順序が変動せずに常に三ヶ月間の暦を同時に一覧することができる。
【００１０】
このように、図３の帯状のカレンダー表示部６に所定間隔ごとに折り線７を設けて、複数月の暦を縦に連結しているため、使用者の必要性によって、表面に出す暦の数は任意に設定でき、カレンダーや予定表として優れた機能と効果を有するものである。
【００１１】
また、吊り下げるための穴８を各月の暦の上端と下端の中央に設けたことにより、図１の（A）（B）、図２の（A）（B）のごとく、どのような折り返しや折り込みをしても、当該カレンダーの天辺には常に穴８が貫通しており、ピンや釘などで簡単に吊り下げることができる。
【００１２】
なおまた、吊り下げるための穴８は、特別な補強なくしても、数枚の暦が折り重なっているため、1年12か月分を上回る複数月の暦を連結しても十分に当該カレンダーの重みに耐え得る。
【００１３】
さらに、日月火水木金土と並ぶカレンダーにおいては、一日が金曜日または土曜日から始まる大の月や、土曜日から始まる2月以外の小の月では、図４の（A）の５月の例のように月初の日付を前月の暦に繰り上げるか、あるいは図４の（B）の５月の例のように月末の日付を翌月の暦に繰り下げることで、月末での日付重複を無くしているので、予定表として優れた機能と効果を有するものである。
【００１４】
これにより、各月のスペースは５週間分で一定し、しかもどの月においても日付の重複がなく機能的にもデザイン的にも使いやすく見やすいカレンダーが得られる。
【図面の簡単な説明】
【００１５】
【図１】本発明の一実施例を示す日付重複の無い吊り下げ式連結カレンダーの説明図であり、その内（A）は当該カレンダーの２ヶ月サイクルでの使用状態を示す斜視図であり、（B）は当該カレンダーの２ヶ月サイクルでの別の使用状態を示す斜視図である。
【図２】本発明の他の実施例を示す日付重複の無い吊り下げ式連結カレンダーの説明図であり、（A）は当該カレンダーの３ヶ月サイクルでの使用状態を示す斜視図であり、（B）は当該カレンダーの３ヶ月サイクルでの別の使用状態を示す斜視図である。
【図３】本発明の帯状のカレンダー表示部の平面図である。
【図４】本発明の月末での日付重複の無いカレンダーの説明図であり、その内（A）は月初の日付を前月の暦に繰り上げたものであり、（B）は月末の日付を翌月の暦に繰り下げたものである。
【図５】従来のカレンダーであり、（Ａ）は１枚が１ヶ月で構成されているものであり、(B)は１枚が2ヶ月で構成されているものである。
【符号の説明】
【００１６】
１  日付重複の無い吊り下げ式連結カレンダーの１月暦
２  日付重複の無い吊り下げ式連結カレンダーの２月暦
３  日付重複の無い吊り下げ式連結カレンダーの３月暦
４  日付重複の無い吊り下げ式連結カレンダーの４月暦
５  日付重複の無い吊り下げ式連結カレンダーの５月暦
６  帯状のカレンダー表示部
７  折り線
８  吊り下げ穴
【図１】
2005144880.tif 000003
【図２】
2005144880.tif 000004
【図３】
2005144880.tif 000005
【図４】
2005144880.tif 000006
【図５】
2005144880.tif 000007